(57)【特許請求の範囲】
【請求項１】
送信用ＦＯＴ（Fiber Optic Transceiver ）と光ファイバ端末との間に介在する導光部材を前記送信用ＦＯＴに対し押し付けるための導光部材固定バネ部、並びに、受信用ＦＯＴ（Fiber Optic Transceiver ）と光ファイバ端末との間に介在する導光部材を前記受信用ＦＯＴに対し押し付けるための導光部材固定バネ部を、前記送信用ＦＯＴと受信用ＦＯＴを収容するシールドケースに一体に設ける、又は、前記送信用ＦＯＴと受信用ＦＯＴのリードフレームを保持するＦＯＴリードフレーム保持部材に一体に設けてなり、
前記導光部材固定バネ部は、前記シールドケース又は前記ＦＯＴリードフレーム保持部材の前面から前方に突出する前方突出部分と、該前方突出部分の端部に連続し前記前面に対して略平行な固定部分とを有する略Ｌ字状の形状に形成され、前記前方突出部分と前記固定部分との連続部分が、バネ性を有する部分となっており、
導光部材にフランジ部を形成するとともに、
前記固定部分には、導光部材の形状に合わせて切り欠きが形成されており、該切り欠きの部分の周辺は、前記導光部材のフランジ部に係合しかつ前記導光部材のフランジ部をＦＯＴに向けて直接押圧するフランジ押圧係合部として形成されている
ことを特徴とするＦＯＴに対する導光部材固定構造。
【発明の詳細な説明】
【技術分野】
【０００１】
本発明は、導光部材をＦＯＴ（Fiber Optic Transceiver ）に対し固定するための構造に関する。
【背景技術】
【０００２】
光ファイバとＦＯＴ（Fiber Optic Transceiver ）との間に、これらの光学的な接続を行うための導光部材（スリーブ）を介在させてなる光コネクタに関しては、例えば下記特許文献１に開示されている。導光部材は、光コネクタハウジングに形成されたフェルール挿入用筒部に収容されている。フェルール挿入用筒部は、ＦＯＴを収容固定するため光コネクタハウジングに形成されたＦＯＴ収容室に連通するように形成されている。導光部材は、ＦＯＴ収容室側からの差し込みによってフェルール挿入用筒部に収容されている。導光部材には、側部がテーパとなった導光路と、この導光路の一端に連続するレンズ部とが形成されている。
【特許文献１】特開２０００−３０４９８０号公報
【発明の開示】
【発明が解決しようとする課題】
【０００３】
上記従来技術にあっては、導光部材を光コネクタハウジングのフェルール挿入用筒部に差し込んでこれを収容する構造であることから、特に光コネクタハウジングの成形精度による影響がでた場合には、導光部材はＦＯＴに対し光軸方向に許容外の隙間が生じてしまうという問題点を有している。例えば高速伝送のために径の小さな光ファイバを使用する場合には、上記光軸方向の隙間が生じると光結合特性の低下につながることから、損失が増大してしまうという問題点を有している。
【０００４】
本発明は、上記した事情に鑑みてなされたもので、許容外となる光軸方向の隙間の発生を規制して損失の増大防止を図ることが可能な、ＦＯＴに対する導光部材固定構造を提供することを課題とする。
【課題を解決するための手段】
【０００５】
上記課題を解決するためになされた請求項１記載の本発明のＦＯＴに対する導光部材固定構造は、送信用ＦＯＴ（Fiber Optic Transceiver ）と光ファイバ端末との間に介在する導光部材を前記送信用ＦＯＴに対し押し付けるための導光部材固定バネ部、並びに、受信用ＦＯＴ（Fiber Optic Transceiver ）と光ファイバ端末との間に介在する導光部材を前記受信用ＦＯＴに対し押し付けるための導光部材固定バネ部を、前記送信用ＦＯＴと受信用ＦＯＴを収容するシールドケースに一体に設ける、又は、前記送信用ＦＯＴと受信用ＦＯＴのリードフレームを保持するＦＯＴリードフレーム保持部材に一体に設けてなり、
前記導光部材固定バネ部は、前記シールドケース又は前記ＦＯＴリードフレーム保持部材の前面から前方に突出する前方突出部分と、該前方突出部分の端部に連続し前記前面に対して略平行な固定部分とを有する略Ｌ字状の形状に形成され、前記前方突出部分と前記固定部分との連続部分が、バネ性を有する部分となっており、
導光部材にフランジ部を形成するとともに、
前記固定部分には、導光部材の形状に合わせて切り欠きが形成されており、該切り欠きの部分の周辺は、前記導光部材のフランジ部に係合しかつ前記導光部材のフランジ部をＦＯＴに向けて直接押圧するフランジ押圧係合部として形成されていることを特徴としている。
【０００８】
このような特徴を有する本発明によれば、導光部材のフランジ部が導光部材固定バネ部のフランジ押圧係合部との係合によって押圧され、この押圧を受けて導光部材は導光部材固定バネ部の作用によってＦＯＴに押し付けられる。
【発明の効果】
【０００９】
請求項１に記載された本発明によれば、導光部材をＦＯＴに押し付ける固定構造を有することから、導光部材とＦＯＴとの間の許容外となる光軸方向の隙間をなくすことができる。従って、光結合特性を良好に維持し損失増大の防止を図ることができる。
また、フランジ部とこれを押圧するフランジ押圧係合部とを形成することにより、導光部材をＦＯＴに対し良好に押し付けることができる。
【発明を実施するための最良の形態】
【００１１】
以下、図面を参照しながら説明する。図１は本発明のＦＯＴに対する導光部材固定構造の一実施の形態を示すコネクタの分解斜視図である。また、図２はコネクタの断面図である。また、図３（ａ）はシールドケースの拡大斜視図、図３（ｂ）はＦＯＴの拡大斜視図、図３（ｃ）は導光部材の拡大斜視図である。
【００１２】
図１ないし図３において、引用符号１は光信号の送受信を行うための光コネクタを示している。光コネクタ１は、光コネクタハウジング２と、送信用ＦＯＴ（Fiber Optic Transceiver ）３及び受信用ＦＯＴ４と、導光部材５と、シールドケース６と、ＦＯＴリードフレーム保持部材７とを備えて構成されている。先ず、上記構成部材について説明する。
【００１３】
光コネクタハウジング２は、合成樹脂製の箱形ものであって、前側にコネクタ嵌合部８が、後側にＦＯＴ収容室９が形成されている。コネクタ嵌合部８とＦＯＴ収容室９とを隔てる隔壁１０には、一対のフェルール挿入用筒部１１が形成されている。フェルール挿入用筒部１１は、コネクタ嵌合部８とＦＯＴ収容室９とを連通するように形成されている。
【００１４】
フェルール挿入用筒部１１には、コネクタ嵌合部８側から光ファイバ端末に設けられたフェルール（図示省略）が差し込まれるようになっている。一方、ＦＯＴ収容室９側からは、導光部材５が差し込まれるようになっている。
【００１５】
光コネクタハウジング２の下面には、図示しない回路基板に固定するためのピン状の脚部１２が形成されている。
【００１６】
送信用ＦＯＴ３及び受信用ＦＯＴ４は、ＦＯＴ本体１３と、このＦＯＴ本体１３から千鳥状にのびる複数のリードフレーム１４とを備えて構成されている。ＦＯＴ本体１３には、図示しない発光素子及び／又は受光素子が内蔵されている。発光素子、受光素子は、リードフレーム１４の一端側に実装されている。ＦＯＴ本体１３は、光透過性の透明な樹脂材料のモールドによって形成されている。ＦＯＴ本体１３の正面であって上記モールドの部分における引用符号１５で示す如くの窓は、発光素子、受光素子の位置に合わせて形成されている。窓１５は、環状に形成されている。
【００１７】
導光部材５は、光透過性の透明な樹脂部材であって、側部がテーパとなった導光路１６と、この導光路１６の大径側に連続するレンズ部１７と、外筒部１８と、外筒部１８の中間に形成されるフランジ部１９とを有して図示の如くの形状に形成されている。導光部材５は、送信用ＦＯＴ３又は受信用ＦＯＴ４と、光ファイバ（図示省略）との間に介在してこれらの光学的な接続を行うため機能を有している。尚、外筒部１８は、本形態において、フランジ部１９の前後で直径が異なるように形成されている（一例であるものとする）。
【００１８】
シールドケース６は、電磁的なシールドを行うための部材であって、導電性を有する金属薄板をプレス加工することにより形成されている。シールドケース６は、送信用ＦＯＴ３及び受信用ＦＯＴ４をそれぞれ覆う一対のシールドケース本体２０と、各シールドケース本体２０に一体に設けられる導光部材固定バネ部２１及び脚部２２とを有している。
【００１９】
シールドケース本体２０は、箱形となる形状に形成されている。このようなシールドケース本体２０の前面には、円形の開口部２３が形成されている。開口部２３は、送信用ＦＯＴ３、受信用ＦＯＴ４の窓１５の直径に合わせて形成されている。脚部２２は、図示しない回路基板に対してアース兼固定用の部分となるように形成されている。
【００２０】
導光部材固定バネ部２１は、シールドケース本体２０に収容された状態の送信用ＦＯＴ３、受信用ＦＯＴ４に対し導光部材５を押し付けることができるようにした部分であって、シールドケース本体２０の前面から前方に突出する前方突出部分２４と、この前方突出部分２４の端部に連続し上記前面に対して略平行な固定部分２５とを有する略Ｌ字状の形状に形成されている。前方突出部分２４と固定部分２５との連続部分は、バネ性を有する部分（バネ部２６）となっている。
【００２１】
固定部分２５には、導光部材５の形状に合わせて半円弧状の切り欠きが形成されている。この切り欠きの部分の周辺は、導光部材５のフランジ部１９をＦＯＴに向けて押圧するフランジ押圧係合部２７として形成されている。
【００２２】
ＦＯＴリードフレーム保持部材７は、送信用ＦＯＴ３及び受信用ＦＯＴ４と、シールドケース６との組み付けに用いられる絶縁性を有する合成樹脂製の部材であって、千鳥状にのびる複数のリードフレーム１４を保持する一対のアライメント部２８と、このアライメント部２８から上方に突出する壁状の一対のＦＯＴ抱え込み部２９と、アライメント部２８の後端から上方に突出する挟持部３０とを有して図示の如くの形状に形成されている。ＦＯＴ抱え込み部２９は、横断面形状がＬ字状に形成されており、送信用ＦＯＴ３、受信用ＦＯＴ４と共にシールドケース本体２０に収容されるようになっている。シールドケース本体２０の後部は、ＦＯＴ抱え込み部２９と挟持部３０とで挟み込まれるようになっている。
【００２３】
次に、上記構成及び構造に基づきながらコネクタ１の組み付けについて説明する。コネクタ１は、例えば第一工程〜第四工程を経て組み付けられるようになっている。
【００２４】
第一工程では、送信用ＦＯＴ３、受信用ＦＯＴ４をシールドケース６のシールドケース本体２０へ挿入し、送信用ＦＯＴ３、受信用ＦＯＴ４の各窓１５をシールドケース本体２０の各開口部２３に引っ掛ける作業を行う。この時、送信用ＦＯＴ３、受信用ＦＯＴ４は、シールドケース本体２０によって覆われる。
【００２５】
第二工程では、シールドケース本体２０によって覆われた状態の送信用ＦＯＴ３、受信用ＦＯＴ４のリードフレーム１４をＦＯＴリードフレーム保持部材７のアライメント部２８に差し込んで芯合わせをするとともに保持をする作業を行う。この時、送信用ＦＯＴ３、受信用ＦＯＴ４は、ＦＯＴ抱え込み部２９によって抱え込まれ、この部分でも保持される。
【００２６】
第三工程では、導光部材５を導光部材固定バネ部２１の固定部分２５に組み付ける作業を行う。導光部材５は、フランジ部１９が固定部分２５のフランジ押圧係合部２７によって押圧され、これにより導光部材５は送信用ＦＯＴ３、受信用ＦＯＴ４に対し押し付けられる。尚、導光部材５と送信用ＦＯＴ３、受信用ＦＯＴ４との間には、許容外となる光軸方向の隙間が生じることはない。
【００２７】
第四工程では、第三工程において形成されたサブアッセンブリを光コネクタハウジング２のＦＯＴ収容室９に組み付ける作業を行う。この時、ＦＯＴリードフレーム保持部材７はＦＯＴ収容室９に嵌合し、導光部材５はこの先端がフェルール挿入用筒部１１に差し込まれる。第四工程が終わると一連の組み付け作業が完了し、図２に示す如くの状態となるコネクタ１が形成される。
【００２８】
以上、図１ないし図３を参照しながら説明してきたように、本発明によれば、導光部材５を送信用ＦＯＴ３、受信用ＦＯＴ４に押し付ける固定構造を有することから、上記の如く許容外となる光軸方向の隙間をなくすことができ、結果、光結合特性を良好に維持し損失増大の防止を図ることができる。
【００２９】
尚、上記説明では、導光部材固定バネ部２１をシールドケース６に一体に設けているが、これに限らず導光部材固定バネ部２１と同じ機能を有する部分をＦＯＴリードフレーム保持部材７に一体に設けてもよいものとする。
【００３０】
この他、本発明は本発明の主旨を変えない範囲で種々変更実施可能なことは勿論である。
【図面の簡単な説明】
【００３１】
【図１】本発明のＦＯＴに対する導光部材固定構造の一実施の形態を示すコネクタの分解斜視図である。
【図２】コネクタの断面図である。
【図３】（ａ）はシールドケースの拡大斜視図、（ｂ）はＦＯＴの拡大斜視図、（ｃ）は導光部材の拡大斜視図である。
【符号の説明】
【００３２】
１  光コネクタ
２  光コネクタハウジング
３  送信用ＦＯＴ（ＦＯＴ）
４  受信用ＦＯＴ（ＦＯＴ）
５  導光部材
６  シールドケース
７  ＦＯＴリードフレーム保持部材
８  コネクタ嵌合部
９  ＦＯＴ収容室
１０  隔壁
１１  フェルール挿入用筒部
１２  脚部
１３  ＦＯＴ本体
１４  リードフレーム
１５  窓
１６  導光路
１７  レンズ部
１８  外筒部
１９  フランジ部
２０  シールドケース本体
２１  導光部材固定バネ部
２２  脚部
２３  開口部
２４  前方突出部分
２５  固定部分
２６  バネ部
２７  フランジ押圧係合部
２８  アライメント部
２９  ＦＯＴ抱え込み部
３０  挟持部
【図１】
0004927012.tif 000002
【図２】
0004927012.tif 000003
【図３】
0004927012.tif 000004